(57)【要約】【課題】中庭からの採光及び通風を保持しつつも、各部屋同士の円滑な往来、プライバシー、開放感も確保できる中庭付き住宅を提供する。【解決手段】中庭１０を取り囲み、平面視コの字形となるように、各部屋を配置している。そして、道路ＳＴ２に面する位置に玄関ＥＲと駐車場ＣＰを、道路ＳＴ１に面する位置に中庭１０を設け、また、中庭１０と道路ＳＴ１との間に塀４０を設けている。中庭１０の上方には透光性の屋根２０と透光性部材に多数の孔３２を設けた床部３１を有するバルコニー３０とを設けている。【選択図】    図１
2004162323.tif 000002
【特許請求の範囲】
【請求項１】
中庭を取り囲むように平面視コの字形に建物が形成され、前記コの字形の先端部の部屋同士をつなぐように前記中庭の上方に透光性の屋根が設けられたことを特徴とする中庭付き住宅。
【請求項２】
前記中庭の上方にバルコニーを備え、該バルコニーの床部が透光性部材からなることを特徴とする請求項１に記載の中庭付き住宅。
【請求項３】
前記バルコニーの床部に、多数の孔が設けられていることを特徴とする請求項２に記載の中庭付き住宅。
【請求項４】
前記屋根が、開閉自在であることを特徴とする請求項１乃至請求項３のいずれか１項に記載の中庭付き住宅。
【請求項５】
前記中庭と道路との間にスリット付きの塀が設けられていることを特徴とする請求項１乃至請求項４のいずれか１項に記載の中庭付き住宅。
【発明の詳細な説明】
【０００１】
【発明の属する技術分野】
本発明は、日あたりがよく開放感のある中庭付き住宅に関する。
【０００２】
【従来の技術】
従来の中庭付き住宅として、図６に示すように、建物が南側に開いた平面視コの字型に形成され、コの字型の内側に中庭２０１を配置し、この中庭２０１に面して建物一階に配置されたホール２０２、洋室２０３、リビングルーム２０４、ダイニング・キッチン２０５の主たる開口部である掃き出し窓２０２ａ，２０３ａ，２０４ａ，２０５ａを設けたものがある。また、外部の視線を遮るために、中庭２０１と南側道路ＳＲとの間には塀Ｗ２が設けられている（例えば、特許文献１参照。）。
【０００３】
【特許文献１】
特開２００２−２２７４３３号公報（［００１２］−［００１６］、第１図、第２図）
【０００４】
【発明が解決しようとする課題】
しかしながら、このような従来の中庭付き住宅は、凹部の先端に位置する洋室２０３とダイニング・キッチン２０５とが中庭２０１により隔てられているため、これらの部屋同士を往来するためには、中庭２０１を迂回するように遠回りをして建物内を通るか、雨に濡れながら中庭２０１を横切ることになるという問題がある。
また、中庭２０１の上方にはバルコニー２１０が設けられているが、このバルコニー２１０によって、中庭２０１の日あたりが悪くなり、中庭２０１に閉塞感を与えるという問題がある。
さらに、塀Ｗ２が設けられているため、南側道路ＳＲから中庭２０１や建物内を見通すことができなくなることによりプライバシーが守られている反面、中庭２０１の開放感を損ない、かつ、外観的にも閉塞感を与えるという問題がある。
【０００５】
そこで本発明は、これらの課題を解決するために、中庭からの採光及び通風を保持しつつも、各部屋同士の円滑な往来、プライバシー、開放感も確保できる中庭付き住宅を提供することを目的とする。
【０００６】
【課題を解決するための手段】
本発明は、前記課題を解決すべく構成されるものであり、請求項１に記載の発明は、中庭を取り囲むように平面視コの字形に建物が形成され、前記コの字形の先端部の部屋同士をつなぐように前記中庭の上方に透光性の屋根が設けられたことを特徴とする。
【０００７】
請求項１に記載の発明によれば、中庭を取り囲むように平面視コの字形に建物が形成されており、このコの字形状の建物の先端部に位置する部屋同士の各出入口を互いに対向するように中庭の方向に設け、この各出入口を結ぶ動線位置に透光性の屋根を設けたことにより、降雨時でも中庭を介してコの字形状の建物の先端部に位置する部屋同士を往来することができるので、屋外である中庭を屋内であるかのように使用することができるようになっている。また、透光性の屋根により、中庭に屋根を設けても日あたりの良い中庭とすることができるようになっている。
【０００８】
請求項２に記載の発明は、請求項１に記載の発明であって、前記中庭の上方にバルコニーを備え、該バルコニーの床部が透光性部材からなることを特徴とする。
【０００９】
請求項２に記載の発明によれば、前記中庭の上方にバルコニーを備えて、該バルコニーの床部を透光性部材としたことにより、バルコニーが採光の妨げとなることがなく、明るい中庭とすることができるようになっている。
【００１０】
請求項３に記載の発明は、請求項２に記載の発明であって、前記バルコニーの床部に、多数の孔が設けられていることを特徴とする。
【００１１】
請求項３に記載の発明によれば、前記バルコニーの床部に、多数の孔が設けられていることにより、雨水が中庭に落ち、風も中庭へ入ってくるので、中庭を屋外に近い雰囲気とすることができるようになっている。
【００１２】
請求項４に記載の発明は、請求項１乃至請求項３のいずれか１項に記載の発明であって、前記屋根が、開閉自在であることを特徴とする。
【００１３】
請求項４に記載の発明によれば、前記屋根を開閉自在としたことにより、光を直接に中庭に射し込ませることができ、かつ、風通しが良くなるので、中庭を開放的な空間として用いることができるようになっている。
【００１４】
請求項５に記載の発明は、請求項１乃至請求項４のいずれか１項に記載の発明であって、前記中庭と道路との間にスリット付きの塀が設けられていることを特徴とする。
【００１５】
請求項５に記載の発明によれば、前記中庭と道路との間にスリット付きの塀が設けられており、このスリットが所定の大きさの開口部となることにより、プライバシーを守りつつも、中庭への採光及び通風を確保することができるようになっている。
【００１６】
【発明の実施の形態】
以下、添付図面に基づき、本発明の好適な実施形態について詳細に説明する。
図１は、本発明の実施形態に係る中庭付き住宅の１階部を示す平断面図である。図２は、本発明の実施形態に係る中庭付き住宅の２階部を示す平断面図である。図３は、本発明の実施形態に係る中庭付き住宅の中庭を示す斜視図である。図４は、図１におけるＡ−Ａ断面図である。図５は、図１におけるＢ−Ｂ断面図である。
【００１７】
［建物］
本発明の中庭付き住宅は、２階建ての建物となっており、図１に示すように、中庭１０を取り囲み、平面視コの字形となるように各部屋を配置し、中庭１０の上方には透光性の屋根２０と多数の孔を有する透光性部材の床部を備えるバルコニー３０とが設けられている。そして、中庭１０と道路ＳＴ１との間に塀４０を設けている。
【００１８】
この中庭１０は、屋根２０が上方に設けられている中庭先端部１０ａとバルコニー３０が上方に設けられている中庭中央部１０ｂとから構成されており、ここでガーデニングを楽しんだり、ゴルフや野球のスイングの練習に汗を流すといったことや、青空の下で読書を満喫したり、テーブルとチェアを用意して仲の良い友人たちとおしゃべりをしながらお茶を飲むといった、趣味的な行為のために主に使用される。
【００１９】
［１階部］
まず、１階部について説明する。
図１及び図４に示すように、コの字形の建物の先端部に位置するリビングルーム１１は、中庭１０に面する壁部に開閉可能な開口部１１ａが設けられており、リビングルーム１１と中庭１０とを往来可能としている。同様に、コの字形の建物の他方の先端部に位置するダイニングルーム１２は、中庭１０に面する壁部に開閉可能な開口部１２ａが設けられており、ダイニングルーム１２と中庭１０とを往来可能としている。開口部１１ａ、１２ａにはガラスが嵌め込まれ、中庭１０、リビングルーム１１、ダイニングルーム１２へ光を採り込むことができるようになっている。そして、開口部１１ａと開口部１２ａの動線上の中庭先端部１０ａの上方に透光性の屋根２０が設けられている。
【００２０】
ここで、透光性の屋根２０は、図３及び図５に示すように、開閉自在とすることができ、主に、固定屋根２１ａ，２１ｂと、可動屋根２２ａ，２２ｂと、から構成されている。ここで、固定屋根２１ａ，２１ｂと、可動屋根２２ａ，２２ｂとには、透光性の面材２３（例えば、ガラスやアクリル版等）が嵌め込まれている。この屋根２０は、固定屋根２１ａ（２１ｂ）が、リビングルーム１１とダイニングルーム１２とを結ぶようにリビングルーム１１（ダイニングルーム１２）の中庭１０に面する開口部１１ａ（１２ａ）の上方に配置されている。この固定屋根２１ａと固定屋根２１ｂとの間は、開口部となっており、その開口部を塞ぐ位置に可動屋根２２ａ，２２ｂを配置している。ここで、可動屋根２２ａ（２２ｂ）は、固定屋根２１ａ（２１ｂ）の方向に電動又は手動でスライド移動することができる。
【００２１】
このように、中庭先端部１０ａの上方に屋根２０を設けたことにより、降雨時であっても、雨を気にすることなく中庭先端部１０ａの使用が可能となり、コの字形の建物の先端部に配置される部屋同士の往来を、屋内を移動するかのように行うことができる。例えば、帰宅後にリビングルーム１１でくつろいだ後、夕食が用意されたダイニングルーム１２へ、降雨時であっても中庭先端部１０ａを通り抜けて移動することができる。
【００２２】
そして、この屋根２０に透光性を持たせたことにより、光を中庭先端部１０ａに取り込むことができるので、中庭１０に明るい雰囲気をつくりだし、さわやかで開放感あふれる空間とすることができる。また、光を開口部１１ａ（開口部１２ａ）を介してリビングルーム１１（ダイニングルーム１２）へ射し込ませることができるので、リビングルーム１１（ダイニングルーム１２）を明るく暖かい部屋とすることができる。
【００２３】
またこのように、屋根２０が開閉可能となることにより、光を中庭先端部１０ａに直接射し込ませることができるので、中庭１０をより自然に近い開放感のある空間とすることができる。
【００２４】
なお、キッチン１４の中庭中央部１０ｂに面する壁部には、透光性の面材２３が嵌め込まれた開閉可能な開口部１４ａが設けられており、キッチン１４と中庭１０とを往来可能としている。これにより、キッチンで準備した料理を中庭１０へ運ぶことができ、中庭１０でパーティー等を楽しむことができる。
【００２５】
塀４０は、図３に示すように、所定の間隔で幅の狭い縦スリットが入っており、中庭１０へ風や光を取り込むことができる。ここで、このスリットは幅が狭いので、道路ＳＴ１から住宅内の又は中庭１０の様子が覗きにくくなっている。
【００２６】
なお、図１に示す符号１３は書斎であり、符号１６は和室であり、符号ＥＲは玄関、符号ＷＣはトイレ、符号ＣＰは駐車場、符号ＳＴ２は道路である。
【００２７】
［２階部］
次に、２階部について説明する。
図２に示すように、書斎１３の上方に位置する一人用ベッドルーム１７は、バルコニー３０に面する壁部に透光性の面材２３が嵌め込まれた開閉可能な開口部１７ａが設けられており、一人用ベッドルーム１７とバルコニー３０とを往来可能としている。同様に、キッチン１４の上方に位置する二人用ベッドルーム１８は、バルコニー３０に面する壁部に透光性の面材２３が嵌め込まれた開閉可能な開口部１８ａが設けられており、二人用ベッドルーム１８とバルコニー３０とを往来可能としている。
【００２８】
ここで、バルコニー３０は、図３及び図５に示すように、中庭中央部１０ｂの上方であって、開口部１７ａと開口部１８ａとの動線上に配置され、その床部３１は、メッシュ状の多数の孔３２を有する透光性部材（例えば、ガラス格子）から形成されている。
【００２９】
このように、バルコニー３０の床部３１に透光性部材を用いたことにより、従来、バルコニーにより日陰となっていた中庭中央部１０ｂに光が射し込むようになるので、明るい中庭１０とすることができる。
そして、一階部において、リビングルーム１１とホール１５とに連通する書斎１３の中庭中央部１０ｂに面する壁部に窓１３ａを備えることにより、バルコニー３０の床部３１を通って射し込む明るい光を書斎１３に取り込むことができるので、書斎１３で行う作業の能率を向上させることができる。同様に、キッチン１４の開口部１４ａに、明るい光がバルコニー３０の床部３１を通って射し込むので、明るいキッチン１４とすることができる。
【００３０】
中庭中央部１０ｂの上方に設けたバルコニー３０の床部３１に多数の孔３２を設けたことにより、降雨時に雨水を中庭１０へ落とし込むことができるので、中庭１０を雨が降り込む自然な屋外として用いることができる。
【００３１】
なお、一人用ベッドルーム１７と二人用ベッドルーム１８とに連通しているホール１９のバルコニー３０に面する壁部には窓１９ａが設けられており、ホール１９に光を取り込むことができるので、ホール１９を明るい空間とすることができる。ここで、ホール１９は階段ＳＷにより１階部のホール１５と連通している。
【００３２】
なお、図２に示す符号ＲＭは子供部屋であり、符号ＢＣは他のバルコニー、符号ＤＲは脱衣所、符号ＢＴはバスルーム、符号ＷＣはトイレ、符号ＣＺはクローゼット、符号ＴＳはバルコニー３０に取り付けられる手摺である。
【００３３】
これにより、本発明の中庭付き住宅は、風通しがよく、光が射し込む明るく開放感のある建物となる。
【００３４】
以上、本発明について、好適な実施形態の一例を説明した。しかし、本発明は、前記実施形態に限られず、前記の各構成要素については、本発明の趣旨を逸脱しない範囲で、適宜設計変更が可能である。
【００３５】
例えば、平面視コの字形に形成した建物内の各部屋の配置位置を適宜変更しても良い。よって、密接に関わりのある２つの部屋をコの字形にした建物の先端部に配置したとしても、雨に濡れる心配をすることなく中庭１０を通って移動することができる。例えば、コの字形にした建物の先端部に配置する２つの部屋の組み合わせとして、書斎とベッドルーム、リビングと和室、ダイニングとキッチン等、建物の立地条件などを考慮して建物の先端部に配置される部屋の組み合わせを自由に決定することができる。
【００３６】
また、中庭１０から風や光を取り込めるように、中庭１０に面する各部屋の壁部に窓や扉を設けても良い。そして、中庭１０へ出入りできる開口部を複数設けても良く、これにより、建物に開放感を与えることができる。
【００３７】
また、屋根２０をバルコニー３０の下方に設けても良い。これにより、バルコニー３０の位置にかかわりなく、中庭１０の上方に屋根２０を設けることができる。
【００３８】
また、屋根の開閉は、移動屋根が観音開きとなるように構成しても良いし、屋根を蛇腹式にすることにより、屋根を所定の位置に収納するように移動させることによって開閉させても良い。そして、屋根の透光部材を透明樹脂や半透明のガラス又は樹脂にしても良い。屋根の透光部材を半透明にすることにより、淡い光が中庭に射し込むので、中庭を温和な空間とすることができる。
【００３９】
また、バルコニーの床部に設けた多数の孔を格子状にしても良いし、丸穴やスリットにしても良い。そして、バルコニーの床部で用いる透光部材を透明の樹脂や半透明のガラス又は樹脂としても良い。
【００４０】
そして、塀に設けたスリットは、横スリットにしても良いし、格子状のスリットや傾斜スリットでも良い。また、開口部にしてもよい。これにより、建物の外観を良くし、外部から中庭を覗きにくくすることができ、かつ、中庭への採光と通風も確保することができる。
【００４１】
また、建物が３階建以上の階数を有する場合は、その上方の階に屋根のある中庭を設ける配置としても良い。これにより、多数階の住宅であっても、採光と通風を確保することができ、各階における室数と階数とは、中庭付き住宅を建設する立地条件や建設費用等で適宜変更可能であり、本実施例に限定されるものではない。
【００４２】
【発明の効果】
本発明は、前記のように構成したので、コの字形状の建物の先端部に位置する部屋同士の出入口として用いる開閉自在の各開口部を結ぶ動線上に配置した屋根と、多数の孔を有する透光性部材を備えた床部を有するバルコニーと、を中庭の上方に設けたことにより、中庭に居ても自然を感じさせることができ、かつ、屋根を設けた動線上の各部屋に設けた開閉自在の開口部からの往来可能とすることにより、開放感をも持たせることができる。
また、雨でも中庭を介してコの字形状の建物の先端部に位置する部屋同士を往来することができるので、屋外である中庭を屋内であるかのように使用することができる。
【００４３】
また、透光性の屋根を用いたことにより、中庭に光を射し込ませることができるので、揺らぎのある穏かな明るい中庭とすることができる。
【００４４】
そして、屋根が開閉自在となることにより、中庭に直接に光を取り込むことができるので、中庭を明るく採光し、かつ、通風の良い雰囲気の開放的な空間とすることができる。
【００４５】
バルコニーの床部に透光性部材を用いたことにより、中庭に日陰を作ることなく、さわやかな光を取り込むことができる。そして、その透光性部材に多数の孔を設けたことにより、中庭の通風が良くなり、さわやかな空間とすることができ、かつ、降水時には雨水を中庭に降り込ませるので、より自然に近い空間を造ることができる。
【００４６】
また、道路と中庭との間に設けた塀にスリットを付与したことにより、道路から覗きにくく、かつ、中庭への採光と通風が確保された、明るく開放感がある中庭を維持し、建物の外観も新鮮な印象とすることができる。
【図面の簡単な説明】
【図１】本発明の実施形態に係る中庭付き住宅の１階部を示す平断面図である。
【図２】本発明の実施形態に係る中庭付き住宅の２階部を示す平断面図である。
【図３】本発明の実施形態に係る中庭付き住宅の中庭を示す斜視図である。
【図４】図１におけるＡ−Ａ断面図である。
【図５】図１におけるＢ−Ｂ断面図である。
【図６】従来の中庭付き住宅を示す平断面図である。
【符号の説明】
１０    中庭
１０ａ  中庭先端部
１０ｂ  中庭中央部
１１    リビングルーム
１１ａ  開口部
１２    ダイニングルーム
１２ａ  開口部
１３    書斎
１４    キッチン
１４ａ  開口部
１５    ホール
１７    一人用ベッドルーム
１７ａ  開口部
１８    二人用ベッドルーム
１８ａ  開口部
１９    ホール
１９ａ  窓
２０    屋根
２１ａ  固定屋根
２１ｂ  固定屋根
２２ａ  移動屋根
２２ｂ  移動屋根
２３    透光性の面材
３０    バルコニー
３１    床部
３２    孔
４０    塀
ＳＴ１  道路
ＳＷ    階段
【図１】
2004162323.tif 000003
【図２】
2004162323.tif 000004
【図３】
2004162323.tif 000005
【図４】
2004162323.tif 000006
【図５】
2004162323.tif 000007
【図６】
2004162323.tif 000008